(57)【要約】【課題】部品点数を少なくし、組立て、分解が容易にできる競技用ゴールを提供する。【解決手段】上記課題を解決するために、本発明の競技用ゴール１は、複数本の管状要素３を適宜組み合わせることによって構成され、管状要素３の端部には、しぼり成形によって形成される凹凸係合構造５が設けられている。また凹凸係合構造５は管状要素３の端部を縮径することによって構成されており、管状要素３の端部には、出没自在の突起１３と、突起１３を受け入れる嵌合穴１５とによって構成される連結保持構造１１が設けられている。【選択図】        図２
2005261813.tif 000002
【特許請求の範囲】
【請求項１】
複数本の管状要素を適宜組み合わせることによって構成される競技用ゴールにおいて、管状要素の端部には、しぼり成形によって形成される凹凸係合構造が設けられていることを特徴とする競技用ゴール。
【請求項２】
請求項１に記載の競技用ゴールにおいて、凹凸係合構造は、管状要素の端部を縮径することによって構成されていることを特徴とする競技用ゴール。
【請求項３】
請求項１または２に記載の競技用ゴールにおいて、管状要素の端部には、出没自在の突起と、突起を受け入れる嵌合穴とによって構成される連結保持構造が設けられていることを特徴とする競技用ゴール。
【請求項４】
請求項３に記載の競技用ゴールにおいて、突起は、突起底面と管状要素の内壁面との間に縮設される付勢手段からの付勢力を受けて常時突出傾向が付与されていることを特徴とする競技用ゴール。
【発明の詳細な説明】
【技術分野】
【０００１】
本発明は、サッカー、フットサル、ハンドボールあるいはホッケー等の球技に使用される競技用ゴールに係り、特に複数本の管状要素を適宜組み合わせることによって構成される組立式の競技用ゴールに関するものである。
【背景技術】
【０００２】
従来の組立式の競技用ゴールは、パイプ材の端部にパイプ材より一回り小さな口径の連結管をリベット止めあるいは溶接によって取り付けたものを管状要素として使用していた。そして管状要素に取り付けられた連結管を他の管状要素に挿し込み、ネジ止めあるいはリベット止め等によって連結し、競技用ゴールの形に組み立てていた。
【０００３】
しかしながら、管状要素の端部に連結管を形成する作業及び管状要素間の接続をネジ止めやリベット止めによって行う作業は極めて煩雑であり、部品点数を増加させて部品コスト、組立コストの増大を招く。また競技用ゴールを分解して保管しておく場合には、組立時に使用するネジ等もいっしょに保管しておかなければならず、ネジ等の紛失のおそれも懸念される。
【発明の開示】
【発明が解決しようとする課題】
【０００４】
本発明は、このような背景技術及び背景技術が抱えていた問題点を踏まえてなされたものであって、部品点数の減少に寄与し、組立て、分解が容易にできる競技用ゴールを提供することを課題とするものである。
【課題を解決するための手段】
【０００５】
上記課題を解決するために請求項１に記載の発明は、複数本の管状要素を適宜組み合わせることによって構成される競技用ゴールにおいて、管状要素の端部には、しぼり成形によって形成される凹凸係合構造が設けられていることを特徴とする競技用ゴールである。
【０００６】
請求項２に記載の発明は、請求項１に記載の競技用ゴールにおいて、凹凸係合構造は、管状要素の端部を縮径することによって構成されていることを特徴とする競技用ゴールである。
【０００７】
請求項３に記載の発明は、請求項１または２に記載の競技用ゴールにおいて、管状要素の端部には、出没自在の突起と、突起を受け入れる嵌合穴とによって構成される連結保持構造が設けられていることを特徴とする競技用ゴールである。
【０００８】
請求項４に記載の発明は、請求項３に記載の競技用ゴールにおいて、突起は、突起底面と管状要素の内壁面との間に縮設される付勢手段からの付勢力を受けて常時突出傾向が付与されていることを特徴とする競技用ゴールである。
【発明の効果】
【０００９】
本発明の競技用ゴールによれば、部品点数を少なくできるから、部品コストの削減に寄与し、部品の保管が容易となる。また極めて簡単なワンタッチ操作によって管状要素間の着脱ができるから、競技用ゴールの組立て及び分解が容易になり、何らの工具も必要としない。
【発明を実施するための最良の形態】
【００１０】
以下、図示の実施例を例にとって、本発明の競技用ゴールを実施するための最良の形態について説明する。
図１は本発明に係る競技用ゴールの使用状態を示す斜視図、図２は本発明に係る競技用ゴールを示す側面図（ａ）及び同図矢視ｂ部の拡大断面図（ｂ）である。図３は管状要素を拡大して示す分解斜視図、図４は管状要素の連結構造を拡大して示す側断面図である。
【実施例１】
【００１１】
図１は本発明に係る競技用ゴール１をフットサルに使用するミニゴールに適用した実施例を示している。
本発明に係る競技用ゴール１は、複数本の管状要素３を適宜組み合わせることによって構成されている。管状要素３は図１、２に示すように競技用ゴール１のどの部位に使用されるかによって直管状或いは曲管状をしている。
【００１２】
本実施例ではアルミ合金製円形断面の管状要素３を使用し、管状要素３の一方の端部にしぼり成形によって凹凸係合構造５を形成している。凹凸係合構造５は、図３、４に示すように管状要素３の端部を段違い管状に縮径することによって形成されている。以下、縮径した凹凸係合構造５を縮径部７と称する。
【００１３】
縮径部７の外径は管状要素３の他の部位の内径より、幾分小さくなるように成形されている。従って複数本の管状要素３を連結する場合、連結する一方の管状要素３の縮径部７を縮径部７が形成されていない他方の管状要素３の端部の同径部９に挿し込むことができるようになっている。
【００１４】
また管状要素３の縮径部７と、縮径部７が形成されていない管状要素３の端部の同径部９には管状要素３間のワンタッチ操作での着脱を可能にする連結保持構造１１が設けられている。
連結保持構造１１は、縮径部７に対して設けられる突起１３と同径部９に対して設けられる嵌合穴１５とによって構成されている。
【００１５】
突起１３は真鍮製で上部にピン状の係合部１７、下部に円錐台形状の台座部１９を備えている。係合部１７は先端が球面状に面取りされた当接部２１、側胴部が縮径部７に形成されている穴部２３と嵌合する嵌合摺動部２５になっている。
また台座部１９の底面と、縮径部７の内壁面との間には付勢手段としての捩りコイルバネ２７が縮設されており、この捩りコイルバネ２７の付勢力によって突起１３は常時突出傾向が付与されている。
【００１６】
一方、同径部９に設けられる嵌合穴１５は管状要素３が連結される際、突起１３と係合し得る対応した位置に刻設されており、突起１３における嵌合摺動部２５を受け入れることができるように嵌合摺動部２５の外径よりも幾分内径が大きくなるように形成されている。
【００１７】
そして、このようにして構成される管状要素３は突起１３の突出作用によって縮径部７を同径部９に対して単に挿し込むだけで連結される。即ち、同径部９の端部が突起１３における当接部２１に当接し、当接部２１の球面形状に案内されて突起１３を下方に退去させ、嵌合穴１５と嵌合する位置まで挿し込んだところで突起１３が上方に移動するようになって管状要素３間の連結保持が行われる。
【００１８】
以下、同様にすべての管状要素３を図１、２に示すように連結して組み立てれば、正面視門形、側面視Ｌ字形をしたフレーム２９が完成する。またフレーム２９に対して図１、２に示すネット３１を取り付ければ図示のような競技用ゴール１の組み立てが完了する。
また組み立てられた競技用ゴール１を分解するには、ネット３１を取り外し、突起１３の当接部２１を指で押えて下方に退去させ連結していた管状要素３を離反させればよい。尚、本発明ではネジ等の連結具は使用していないから連結具の紛失等の問題も生じない。
【００１９】
以上、本発明を実施するための最良の形態、その具体的実施例について詳述してきたが、具体的な構成はこれらの形態や実施例に限られるものではなく、本発明の要旨を逸脱しない範囲における設計の変更などがあっても本発明に含まれる。
例えば、凹凸係合構造５は管状要素３の端部を拡径することによって形成することも可能である。図５は管状要素３の端部を拡径することによって凹凸係合構造５を形成した実施例を示す側断面図である。
【００２０】
以下、段違い管状に拡径した凹凸係合構造５を拡径部３３と称する。
拡径部３３の内径は、これと連結される同径部９の外径より幾分大きくなるように成形されている。尚、この実施例の場合には突起１３は同径部９に、嵌合穴１５は拡径部３３に設けられている。
この他、図示は省略するが両者に凹凸係合構造５を設けた管状要素３と、両者に凹凸係合構造５を設けない直管状の管状要素３を互い違いに連結する構成を採用することも可能である。
【００２１】
また管状要素３の材料はアルミ合金以外の他の金属製材料であってもよいし、強化繊維プラスチック等の合成樹脂材料であってもよい。また管状要素３は円管状に限らず角管状であってもよい。
また突起１３の材料は真鍮以外の他の金属製材料であってもよいし、合成樹脂材料であってもよい。また付勢手段２７として圧縮コイルスプリングを採用することも可能である。
【図面の簡単な説明】
【００２２】
【図１】本発明に係る競技用ゴールの使用状態を示す斜視図である。
【図２】本発明に係る競技用ゴールを示す側面図（ａ）及び同図矢視ｂ部の拡大断面図（ｂ）である。
【図３】管状要素を拡大して示す分解斜視図である。
【図４】管状要素の連結構造を拡大して示す側断面図である。
【図５】管状要素の他の実施例を示す側断面図である。
【符号の説明】
【００２３】
１    競技用ゴール                  ３    管状要素
５    凹凸係合構造                  ７    縮径部
９    同径部                      １１    連結保持構造
１３    突起                        １５    嵌合穴
１７    係合部                      １９    台座部
２１    当接部                      ２３    穴部
２５    嵌合摺接部                  ２７    捩りコイルバネ（付勢手段）
２９    フレーム                    ３１    ネット
３３    拡径部
【図１】
2005261813.tif 000003
【図２】
2005261813.tif 000004
【図３】
2005261813.tif 000005
【図４】
2005261813.tif 000006
【図５】
2005261813.tif 000007